(57)【要約】【課題】  従来の金属リガチャでは、リードの振動に対するリガチャ自身の共振を完全に抑えることができず音色が硬くなる傾向があった。【解決手段】  リードと接触して当該リードを固定するためのプレート１０１と、プレート１０１に一部が固定された少なくとも２本の紐１０２，１０３と、マウスピースに取り付けた状態で、少なくとも２本の紐１０２，１０３の両端を締め付けて、プレート１０１をリードに圧接させるための締め付け部材１０４，１０５，１０６とを有する。【選択図】  図１
2006163382.tif 000002
【特許請求の範囲】
【請求項１】
リードと接触して当該リードを固定するための固定部材と、
前記固定部材に一部が固定された少なくとも２本の紐と、
マウスピースに取り付けた状態で、前記少なくとも２本の紐の両端を引っ張ることにより前記固定部材をリードに圧接させるための締め付け部材と、
を有することを特徴とするリガチャ。
【請求項２】
リードと接触して当該リードを固定するための固定部材と、
前記固定部材を交換可能に保持すると共に、マウスピースに取り付けた状態で当該マウスピースに捲着される捲着部材と、
前記捲着部材を締め付けて前記固定部材をリードに圧接させるための締め付け部材と、を有することを特徴とするリガチャ。
【請求項３】
前記固定部材は、黒檀、紫檀或はローズウッドのいずれかで構成されることを特徴とする請求項１又は２に記載のリガチャ。
【請求項４】
前記固定部材の前記リードと接触する面には、複数の突起が設けられていることを特徴とする請求項１又は２に記載のリガチャ。
【請求項５】
前記複数の突起は、前記リードの長手方向に伸びる線状の隆起部を含むことを特徴とする請求項４に記載のリガチャ。
【請求項６】
前記捲着部材は、布、皮革、紐或は合成皮革のいずれかであることを特徴とする請求項２に記載のリガチャ。
【請求項７】
前記締め付け部材を互いに近接する方向に移動させるための操作部材を更に有することを特徴とする請求項１乃至６のいずれか１項に記載のリガチャ。
【請求項８】
前記少なくとも２本の紐に固定され、前記マウスピースに取り付けた状態で前記マウスピース本体に当接する複数の固定片を更に有することを特徴とする請求項１に記載のリガチャ。
【請求項９】
前記固定片は、前記固定部材と同じ材料で構成されることを特徴とする請求項８に記載のリガチャ。
【請求項１０】
前記固定片の前記マウスピース本体と接触する面には、複数の突起が設けられていることを特徴とする請求項８又は９に記載のリガチャ。
【発明の詳細な説明】
【技術分野】
【０００１】
本発明は、管楽器のマウスピースにリードを固定するためのリガチャに関するものである。
【背景技術】
【０００２】
単一リードの管楽器で用いられるマウスピースにリード固定するリガチャは、リードを固定するための締め金具として一般に知られている。このようなリガチャは、従来は金属性のものが中心であったが、最近はプラスチック、合成ゴム、金属と合成ゴムとを組み合わせたものなどが販売されている。
【０００３】
このようなリガチャは、単にリード固定するための器具だけではなく、その共振により楽器の音色に影響を与えることが知られている。即ち、固定しているリードから伝わってくる振動によってリガチャの自己共振が誘起され、その共振がリードの振動に影響して楽器の音色を左右すると考えられる。
【０００４】
また、このようなリードの取り付けに伴う応力を受けずに、平板上或は棒状、或は塊状の共鳴部を、リードに接触している部分近くに設置したリガチャが提案されている（特許文献１）。
【０００５】
また、２つの金属製のリングの間にバーを設け、そのリングによりマウスピースに取り付けた状態で、そのバーによりリードの長手方向に当接させてリードを固定することにより、リードの振動を改善させたリガチャも提案されている（特許文献２）。
【特許文献１】特開平８−１６１５７号公報
【特許文献２】特開平１０−１２４０４３号公報
【発明の開示】
【発明が解決しようとする課題】
【０００６】
しかし上記従来の金属リガチャでは、リードの振動に対するリガチャ自身の共振を完全に抑えることができず、音色が硬くなる。また皮革や合成ゴムなどのリガチャでは、リードやマウスピースがスムーズに振動しないため反応が悪く、響くような音色が得られないという傾向があった。
【０００７】
本発明は上記問題点に鑑みてなされたもので、本願発明の特徴は、リードを固定するための固定部材を紐で締め付けてリードを固定することにより、リードの振動を抑制させずに演奏者にとって反応の早い吹奏感が得られるリガチャを提供することにある。
【０００８】
また本発明の目的は、サックスホーン、クラリネットなどの音色や吹奏感を改善するとともに、軽やかで優しい音色が得られるリガチャを提供することにある。
【課題を解決するための手段】
【０００９】
上記特徴は、独立項に記載の特徴の組み合わせにより達成され、従属項は発明の単なる有利な具体例を規定する。
【００１０】
本発明の一態様に係るリガチャは以下のような構成を備える。即ち、
リードと接触して当該リードを固定するための固定部材と、
前記固定部材に一部が固定された少なくとも２本の紐と、
マウスピースに取り付けた状態で、前記少なくとも２本の紐の両端を引っ張ることにより前記固定部材をリードに圧接させるための締め付け部材とを有することを特徴とする。
【００１１】
本発明の一態様に係るリガチャは以下のような構成を備える。即ち、
リードと接触して当該リードを固定するための固定部材と、
前記固定部材を交換可能に保持すると共に、マウスピースに取り付けた状態で当該マウスピースに捲着される捲着部材と、
前記捲着部材を締め付けて前記固定部材をリードに圧接させるための締め付け部材とを有することを特徴とする。
【００１２】
また本発明の固定部材は、黒檀、紫檀或はローズウッドのいずれかで構成されるのが望ましい。
【００１３】
更に、固定部材の前記リードと接触する面には、複数の突起が設けられている。
【００１４】
また、これら複数の突起は、前記リードの長手方向に伸びる線状の隆起部を含む。
【００１５】
また捲着部材は、布、皮革、紐或は合成皮革のいずれかを含む。
【００１６】
更に、締め付け部材を互いに近接する方向に移動させるための操作部材（実施の形態ではツマミ１０６，４０８、ネジ部１０７，４０７に相当）を更に含む。
【００１７】
また、少なくとも２本の紐に固定され、マウスピースに取り付けた状態で、そのマウスピース本体に当接する複数の固定片を更に有する。この固定片は上述の固定部材と同じ材質でも良い。
【００１８】
この発明の概要は、必要な特徴を全て列挙しているものでなく、よって、これらの特徴群のサブコンビネーションも発明になり得る。
【発明の効果】
【００１９】
本発明によれば、リードの振動によるリガチャの共振を完全に防止できるため、クラリネットやサックスなどの管楽器の音が軽やかで優しくなる。
【００２０】
またリードやマウスピースに対するストレスを少なくでき、響きの良い音を発生させることができる。またリードの振動を抑制しないので、演奏者の息に対する楽器の発音までの速度を早くできるという効果がある。
【発明を実施するための最良の形態】
【００２１】
以下、添付図面を参照して本発明の好適な実施の形態を詳しく説明する。尚、以下の実施の形態は、特許請求の範囲に係る発明を限定するものでなく、また後述する実施の形態の中で説明されている特徴の組み合わせの全てが本願発明の解決手段に必須のものとは限らない。
【００２２】
［実施の形態１］
図１は、本発明の実施の形態１に係るリガチャ１００の構成を説明するための概観図である。
【００２３】
図において、１０１は、マウスピースに装着するリードと接触して、そのリードをマウスピースに固定するための固定部材（プレート）である。１０２，１０３は紐部材で、その略中央がプレート１０１に固定されており、更にその両端部は、締め付け部材１０４，１０５に設けられた各孔１１０を挿通され、その孔１１０から抜けないように先端が丸められるか、或は先端に孔の径よりも大きい部材１１１が接続されている。締め付け部材１０４，１０５は、ツマミ１０６を時計回り方向に回転することにより、ネジ部１０７の回転により互いに近接する方向に移動される。これにより、紐部材１０２，１０３がマウスピースを締め付けた状態となり、リガチャ１００がマウスピースを緊締して固定するように構成されている。先端部材１０８は、ネジ部１０７が締め付け部材１０４，１０５から脱着しないための留め具として取り付けられている。
【００２４】
プレート１０１の素材としては、木、黒檀、紫檀、ローズウッド、或は大理石などでも良い。また紐部材１０３，１０４は、シルク或は合成樹脂の紐でも良い。また紐部材１０３，１０４の本数が２本の場合を示しているが、３本或はそれ以上でも良い。
【００２５】
図２は、本実施の形態に係るプレート１０１の形状を説明する図である。
【００２６】
図２では、プレート１０１を、リードに接触する側から見た図として示しており、この実施の形態では、２本の線状の突起部（凸部）２０１，２０２が略平行に設けられている。２１０は、このプレートの側面図である。
【００２７】
これによりプレート１０１とリードとの接触面積を少なくでき、リードに圧接してリードをマウスピースに固定している状態であっても、リードの振動をできるだけ抑えないようにできる。
【００２８】
２１０は、このプレート１０１の側面図である。なお、このプレート１０１の形状は、図３のようにマウスピースに取り付けられたときに、マウスピースに巻回された紐部材１０２，１０３による締め付け力が均等にかかるように、図２のように少し曲率が設けられているのが望ましい。
【００２９】
尚、このプレート１０１に設けられる凸部としては図２の形状のものに限定されず、例えば円形或は多角形の突起（凸部）を複数設け、これら複数の突起によりリードを圧接するようにしても良い。またこれら凸部の数に関しても、本実施の形態の数に限定されるものではない。
【００３０】
図３は、本実施の形態１に係るリガチャ１００を、シングルリードのマウスピース３０１に取り付けた状態を示す概観斜視図で、前述の図１と共通する部分は同じ記号で示している。
【００３１】
３０１はマウスピース、３０２はリードを示している。このように取り付けるための動作を説明すると、まずマウスピース３０１にリード３０２を取り付けて位置を合わせ、ツマミ１０６により締め付け部材１０４，１０５を緩めた状態で、プレート１０１がリード３０２に接触して当接するようにリガチャ１００を取り付ける。この状態では、紐部材１０２，１０３がマウスピース３０１を巻回した状態になる。そしてツマミ１０６を時計回り方向に回転させることにより、締め付け部材１０４，１０５が互いに近接するようにして紐部材１０２，１０３の両端を引っ張って締着させ、図３に示すようにリガチャ１００をマウスピース３０１にしっかりと固定する。この図３の状態では、プレート１０１はリード３０２を図２に示す２本の突起部２０１，２０２で圧接している。
【００３２】
図３の状態では、リード３０２はプレート１０１とだけ接触しており、リード３０２からプレート１０１に伝達される振動は、リガチャ１００の他の部材に伝達されることはない。これは紐部材１０２，１０３が完全に振動の伝達を遮断しているためである。
【００３３】
このように本実施の形態１に係るリガチャによれば、リードの振動によるリガチャの共振を完全に防止できるため、クラリネットやサックスなどの管楽器の音が軽やかで優しくなる。
【００３４】
また紐部材によりマウスピースを締め付ける（緊締）ことにより、マウスピースにリードを固定するので、リードやマウスピースに対するストレスを少なくでき、響きの良い音を発生させることができる。またリードの振動を抑制しないので、演奏者の息に対する楽器の発音までの速度を早くできる。
【００３５】
［実施の形態２］
次に本発明の実施の形態２のリガチャについて説明する。この実施の形態２に係るリガチャは、前述のプレート１０１を交換可能にしている。
【００３６】
図４は、本発明の実施の形態２に係るリガチャ４００の構成を示す概観図である。
【００３７】
この実施の形態２に係るリガチャ４００は、実施の形態１の紐部材１０２，１０３に代えて、マウスピースに巻き付けて取り付けるための巻き付け部材４０２として皮革を使用している点が、前述の実施の形態１に係るリガチャ１００とは異なっている。またこのリガチャ４００では、プレート４０１を交換可能としている。
【００３８】
図５は、本発明の実施の形態２に係るプレート４０１の構造を説明する図である。
【００３９】
このプレート４０１には、ネジ部４０６が立設されており、このネジ部４０６が巻き付け部材（捲着部材）４０２に設けられた穴を通してナット４０５で取り付けられている。このプレート４０１のリードと接触する面には、前述の実施の形態１に係るプレート１０１と同様に、リード３０２との接触面積を少なくするための突起２０１，２０２が設けられている。
【００４０】
再び図４において、４０３，４０４は前述の実施の形態１の締め付け部材１０４，１０５と同様の働きをしており、捲着部材４０２に被包されている。この状態でツマミ４０８を時計回り方向に回転することによりネジ部４０７が回転して、締め付け部材４０３，４０４が互いに近接する方向に移動し、マウスピースに、このリガチャ４００を固定させることができる。
【００４１】
尚、プレート４０１を捲着部材４０２に取り付ける手段としては、この図５の構成に限定されるものでなく、例えば捲着部材４０２に設けた嵌合用開口部と、プレート４０１に取り付けた取り付け部材とを嵌合させることにより、捲着部材４０２にプレート４０１を取り付ける構成にしても良い。また或はプレート４０１のリードと接触する側と反対側に面ファスナー（例えば、マジックテープ（登録商標）など）を取り付け、同じく捲着部材４０２の内側にも面ファスナーを取り付けて、これらファスナーによりプレート４０１を固定するようにしても良い。
【００４２】
図６は、本実施の形態２に係るリガチャ４００を、シングルリードのマウスピース３０１に取り付けた状態を示す概観斜視図で、前述の図４と共通する部分は同じ記号で示している。
【００４３】
３０１はマウスピース、３０２はリードを示している。このように取り付けるための動作を説明すると、まずマウスピース３０１にリード３０２を合わせ、ツマミ４０８により締め付け部材４０３，４０４を緩めた状態で、プレート４０１がリード３０２に接触して当接するようにリガチャ４００を取り付ける。この状態では、捲着部材４０２が図６のようにマウスピース３０１を巻回した状態になる。そしてツマミ４０８を時計回り方向に回転させることにより、締め付け部材４０３，４０４が互いに近接するようにして捲着部材４０２の端部を引っ張ってマウスピース３０１に締着させ、図６に示すようにリガチャ４００をマウスピース３０１に固定する。この実施の形態２に係るリガチャ４００においても、捲着部材４０２に皮革を使用しているので、リードの振動がリガチャ全体に伝達するのを防止できる。
【００４４】
尚、プレート４０１を交換する際には、図４に示す状態で、ナット４０５を外すことによりネジ部４０６を捲着部材４０２から取り外して、所望のプレート４０１と交換すればよい。
【００４５】
また捲着部材４０２には、布や合成皮革を使用しても良い。
【００４６】
このように本実施の形態３に係るリガチャによれば、リードの振動によるリガチャの共振を完全に防止できるため、クラリネットやサックスなどの管楽器の音が軽やかで優しくなる。
【００４７】
また、皮革などの捲着部材で締着することによりリードを固定するので、リードやマウスピースに対するストレスを少なくでき、響きの良い音を発生させることができる。またリードの振動を抑制しないので、演奏者の息に対する楽器の発音までの速度を早くできる。
【００４８】
［実施の形態３］
次に本発明の実施の形態３に係るリガチャ１２０について説明する。この実施の形態３に係るリガチャは、前述の実施の形態１に係るリガチャにおいて、更に紐部材１０２，１０３とマウスピース本体との間に固定片１０９を設けたものである。
【００４９】
図７は、本発明の実施の形態３に係るリガチャ１２０の構成を説明する概観図で、前述の図１と共通する部分は同じ記号で示し、それらの説明を省略する。
【００５０】
図７から明らかなように、この実施の形態３に係るリガチャ１２０は、紐部材１０２，１０３のそれぞれに取り付けられた固定片１０９を有している。この固定片１０９は、例えば図２に示す固定部材２１０の同様の断面形状を有しており、マウスピース本体との接触面積を小さくしている。これによりマウスピース本体へのリードの固定状態を確実にしながら、マウスピース本体の振動を抑制するのを防止して音の抜けや、音質を改善している。
【００５１】
図８は、本実施の形態３に係るリガチャ１２０を、シングルリードのマウスピース３０１に取り付けた状態を示す概観斜視図で、前述の図７と共通する部分は同じ記号で示している。
【００５２】
３０１はマウスピース、３０２はリードを示している。このように取り付けるための動作を説明すると、まずマウスピース３０１にリード３０２を取り付けて位置を合わせ、ツマミ１０６により締め付け部材１０４，１０５を緩めた状態で、プレート１０１がリード３０２に接触して当接するようにし、また固定片１０９がマウスピース３０１の外周に接触するようにリガチャ１００を取り付ける。この状態では、固定片１０９を介して紐部材１０２，１０３がマウスピース３０１を巻回した状態になる。そしてツマミ１０６を時計回り方向に回転させることにより、締め付け部材１０４，１０５が互いに近接するようにして紐部材１０２，１０３の両端を引っ張って締着させ、図８に示すようにリガチャ１２０をマウスピース３０１にしっかりと固定する。この状態では、プレート１０１はリード３０２を図２に示す２本の突起部２０１，２０２で圧接しており、また固定片１０９も、マウスピース本体に側に設けられている突起部（例えば、２０１，２０２）でマウスピース本体を圧接することによりリガチャ１２０が固定される。
【００５３】
図８の状態では、リード３０２はプレート１０１とだけ接触しており、リード３０２からプレート１０１に伝達される振動は、リガチャ１００の他の部材に伝達されることはない。これは紐部材１０２，１０３が完全に振動の伝達を遮断しているためである。
【００５４】
図９は、図８に示すようにマウスピース３０１にリガチャ１２０が取り付けられた状態を図８のＡ側（楽器に取り付けられる側）から見た図で、図８と共通する部分は同じ記号で示している。
【００５５】
図９において、３１０は、演奏者の息を、サックスなどの管楽器に送り込むための開口で、マウスピース内部のチェンバー、バッフルの向こうにティップオープニング３１１を見ることができる。ここでリード３０２は、前述の実施の形態１と同様に、プレート１０１により圧接されて固定されている。ここでプレート１０１は、突起部２０１，２０２によりリード３０２を押圧している。また複数の固定片１０９のそれぞれも同様に、突起部によりマウスピース３０１の本体に接触しているため、マウスピース３０１との接触面積を少なくでき、これによりマウスピースの振動を抑制しないようにしている。
【００５６】
このように本実施の形態３に係るリガチャによれば、リード３０２の振動によるリガチャ１２０の共振を完全に防止でき、またマウスピース本体の振動を抑制しないようにできるため、クラリネットやサックスなどの管楽器の音が軽やかで優しくなる。
【００５７】
また、固定片（木片）を介して紐部材によりマウスピースを締め付ける（緊締）ことにより、マウスピースにリードを固定するので、リードやマウスピースに対するストレスを少なくでき、響きの良い音を発生させることができる。またリードの振動を抑制しないので、演奏者の息に対する楽器の発音までの速度を早くできる。
【００５８】
尚、上記実施の形態３に示す固定片の数はあくまでも一例であり、この実施の形態の数に限定されるものではない。
【００５９】
また、この固定片の材質は、前述の実施の形態１，２に係るプレート１０１と同じ材質（木、黒檀、紫檀、ローズウッド、或は大理石）でも良い。
【００６０】
またこの固定部材１０１及び固定片１０９の材質としては、クラリネット等の木管楽器の本体部分と同じ材質、例えばグラナディラであっても良い。
【図面の簡単な説明】
【００６１】
【図１】本発明の実施の形態１に係るリガチャの構成を説明する概観図である。
【図２】本実施の形態に係るプレートの形状を説明する図である。
【図３】本実施の形態１に係るリガチャを、シングルリードのマウスピースに取り付けた状態を示す概観斜視図である。
【図４】本発明の実施の形態２に係るリガチャの構成を示す概観図である。
【図５】本発明の実施の形態２に係るプレートの構造を説明する図である。
【図６】本実施の形態２に係るリガチャを、シングルリードのマウスピース３０１に取り付けた状態を示す概観斜視図である。
【図７】本発明の実施の形態３に係るリガチャの構成を説明する概観図である。
【図８】本実施の形態３に係るリガチャを、シングルリードのマウスピースに取り付けた状態を示す概観斜視図である。
【図９】図８に示すマウスピースにリガチャが取り付けられた状態を図８のＡ側（楽器に取り付けられる側）から見た図である。
【符号の説明】
【００６２】
１０１，４０１  プレート
１０２，１０３  紐部材
１０４，１０５，４０３，４０４  締め付け部材
１０９  固定片
１０６，４０８  ツマミ
１０７，４０７  ネジ部
３０１  マウスピース
４０２  巻き付け部材（捲着部材）
４０５  ナット
４０６  ネジ部
【図１】
2006163382.tif 000003
【図２】
2006163382.tif 000004
【図３】
2006163382.tif 000005
【図４】
2006163382.tif 000006
【図５】
2006163382.tif 000007
【図６】
2006163382.tif 000008
【図７】
2006163382.tif 000009
【図８】
2006163382.tif 000010
【図９】
2006163382.tif 000011